(57)【要約】      （修正有）【課題】耐水性及び耐久性に優れ、また地球環境にも優しいＭＤＦ板の積層体からなる便座を提供する。【解決手段】ＭＤＦ板の単板を接着剤により２枚以上積層接着した積層体を切削加工して得られる便座本体１の表面に、ウレタン系樹脂、メラミン系樹脂、ポリエステル系樹脂、漆の１種または２種以上を含浸あるいは塗布する。前記接着剤は、耐水性を有した木質材用接着剤である。また前記便座本体１は、積層体を立体的に切削加工することにより得られた木質模様を有するものである。【選択図】図１
0003168420.tif 000002
【実用新案登録請求の範囲】
【請求項１】
ＭＤＦ板の単板を接着剤により２枚以上積層接着した積層体を切削加工して得た便座本体の表面に、ウレタン系樹脂、メラミン系樹脂、ポリエステル系樹脂、漆の１種または２種以上を含浸あるいは塗布したことを特徴とするＭＤＦ板の積層体からなる便座。
【請求項２】
接着剤は、耐水性を有した木質材用接着剤である請求項１に記載のＭＤＦ板の積層体からなる便座。
【請求項３】
便座本体は、積層体を立体的に切削加工することにより得られた木質模様を有するものである請求項１に記載のＭＤＦ板の積層体からなる便座。
【請求項４】
便座本体が、温水洗浄装置付の便器に取り付けられている請求項１〜３のいずれかに記載のＭＤＦ板の積層体からなる便座。
【考案の詳細な説明】
【技術分野】
【０００１】
本考案は、耐水性及び耐久性に優れ、また地球環境にも優しいＭＤＦ板の積層体からなる便座に関するものである。
【背景技術】
【０００２】
従来から、洋式便器に使用される便座としては耐久性や耐水性に優れた合成樹脂製のものが多く使われている。合成樹脂製の便座は、大量生産に向いており、安価な製品を提供することができる。しかし、高級感がなく、また着座時に冷たい感触があり、更に長期間使用すると変色のおそれがあるという問題があった。
また、温水洗浄装置付き便器の普及が進みヒータの装着により着座時の冷たい感触は防げるようになったものの、電気の使用量が増加するという問題があり、また熱により変色が促進されるという問題もあった。
【０００３】
一方、最近では生活様式の多様化や温水洗浄装置付き便器の普及などにより、便座にも種々のデザイン性が求められるようになり、合成樹脂に代わって木製の便座も提案されている。木製の便座は高級感や温かみがあり、また感触・風合いも優しいため人気があるものの、天然木の場合は長期間使用しているとササクレやトゲが発生して危険であるという問題があった。
【０００４】
また木質材としては、前記天然木に代わり、廃棄木材チップ等を細かく綿状に解繊した繊維を接着剤と共に熱圧成板した中質繊維板（ミディアム・デンシティ・ファイバーボード、以下、ＭＤＦ板と称する）を利用した各種の製品の開発がなされており、例えば、特許文献１や特許文献２が提案されている。
しかしながら、前記ＭＤＦ板は、水分の吸い込みによる膨張、狂い、木口割れを生じるという問題や、所定以上の強度を必要とする用途には使用できないという問題があるため、高い耐水性、耐久性、機械的雇用度が要求される便座には、ＭＤＦ板を適用することはできなかった。
【先行技術文献】
【特許文献】
【０００５】
【特許文献１】特開平６−２７２３６６号公報
【特許文献２】特開２００１−３２５１５号公報
【考案の概要】
【考案が解決しようとする課題】
【０００６】
本考案は上記のような問題点を解決して、木質模様を有しデザイン性に優れており、また自然の温かみや風合いがあり、また耐水性、耐久性及び機械的強度にも優れており、更には地球環境保護の観点から省エネルギーで環境にも優しいＭＤＦ板の積層体からなる便座を提供することを目的として完成されたものである。
【課題を解決するための手段】
【０００７】
上記課題を解決するためになされた本考案のＭＤＦ板の積層体からなる便座は、ＭＤＦ板の単板を接着剤により２枚以上積層接着した積層体を切削加工して得た木質の便座本体の表面に、ウレタン系樹脂、メラミン系樹脂、ポリエステル系樹脂、漆の１種または２種以上を含浸あるいは塗布したことを特徴とするものである。
【０００８】
前記接着剤は耐水性を有した木質材用接着剤が好ましく、これを請求項２に係る考案とする。また、前記便座本体は、積層体を立体的に切削加工することにより得られた木質模様を有するものが好ましく、これを請求項３に係る考案とする。更に、便座本体を、温水洗浄装置付の便器に取り付けることもでき、これを請求項４に係る考案とする。
【考案の効果】
【０００９】
請求項１に係る考案では、ＭＤＦ板の単板を接着剤により２枚以上積層接着した積層体を切削加工して得た便座本体の表面に、ウレタン系樹脂、メラミン系樹脂、ポリエステル系樹脂、漆の１種または２種以上を含浸あるいは塗布したので、耐水性、耐久性及び機械的強度に優れて長時間の使用に耐える便座を提供することができ、また木質材で作られているので自然の温かみや風合いがあり、更に間伐材や廃棄木材等を原料とするため地球環境保護の観点からも好ましく、木材資源の有効活用も図ることができる。
【００１０】
請求項２に係る考案では、接着剤は、耐水性を有した木質材用接着剤であり、ＭＤＦ板を強固に接着することができ、その後の積層体の切削加工や掘り抜き加工やくり抜き加工を容易に行えることとなる。
【００１１】
請求項３に係る考案では、便座本体は、積層体を立体的に切削加工することにより得られた木質模様を有するものであり、巨木以上の大きさの積層体を様々な形に切削加工することが可能で、意匠性に富んだ形を小ロット・低コストで生産することができ、また木質の風合いや感触が活かされた優れたデザインの便座を提供することが可能となる。
【００１２】
請求項４に係る考案では、便座本体を温水洗浄装置付の便器に取り付けた場合、木質の自然の温かみがあるので加熱用ヒータは不要となり省エネルギーで地球環境の保護に貢献できることとなる。
【図面の簡単な説明】
【００１３】
【図１】本考案の実施の形態を示す斜視図である。
【図２】本考案の実施の形態を示す側面図である。
【図３】本考案の使用状態を示す斜視図である。
【図４】複数枚のＭＤＦ板を積層接着した積層体を示す斜視図である。
【図５】複数枚のＭＤＦ板を積層接着したその他の積層体を示す斜視図である。
【図６】複数枚のＭＤＦ板を積層接着したその他の積層体を示す斜視図である。
【考案を実施するための形態】
【００１４】
以下に、図面を参照しつつ本考案の好ましい実施の形態を示す。
図１は本考案の便座を示す斜視図、図２はその側面図、図３は使用状態を示す斜視図であり、ＭＤＦ板の単板を接着剤により２枚以上積層接着した積層体を切削加工して得た木質の便座本体の表面に、ウレタン系樹脂、メラミン系樹脂、ポリエステル系樹脂、漆の１種または２種以上を含浸あるいは塗布した構造となっている。
なお、図面では便座につき説明するが、便蓋にも同様に適用できることは勿論である。
【００１５】
前記ＭＤＦ板は、木材チップを細かく綿状に解繊した繊維を接着剤と共に熱圧成板した木質繊維板であり、軽量で高い強度を有しているので、各種建築用材料や家具製品等として使用されている。また、ＭＤＦ板は、素材として間伐財や廃棄木材等を利用できるという優れた特徴を有しており、更には、使用後細かく砕き土に戻すとバクテリア等が分解し土に蘇ることができる再生可能な材料であるため、資源の循環型社会に大きく貢献するものであり、森林資源の有効活用、或いは世界的な森林資源の枯渇等の地球環境問題を考慮して注目されている素材である。
【００１６】
本考案では、前記ＭＤＦ板１０の単板を接着剤により２枚以上積層接着して積層体１１を形成し、この積層体１１を切削加工して木質の便座本体１としている。
前記積層体１１は、例えば図２に示すように、ＭＤＦ板１０の単板を水平方向に積層したものや、図３に示すように、ＭＤＦ板１０の単板を水平方向に積層したものと縦方向に並べて積層したものとを側面で接着したものや、図４に示すように、ＭＤＦ板１０の単板を水平方向に積層したものと、縦方向に並べて積層したものとを上下方向で一体接着したもの等があるが、その他、ＭＤＦ板１０の単板を任意に組み合わせて積層できることは勿論である。
【００１７】
なお、図示のものは、温水洗浄装置３付きの便器に取り付けるタイプであり、Ｏ型形状からなり後部に左右一対の取付用片部２、２が設けられた便座であるが、その他、Ｕ型形状など任意の形状とすることができる。また、前記接着剤としては、例えば、水性高分子イソシアネート系接着剤のような耐水性を有した木質材用接着剤を用いると接着強度が強く好ましい。
【００１８】
このように、２枚以上のＭＤＦ板１０を接着剤で結合し積層することにより、より強度が増し、長時間の使用に耐えることが可能となった。また、天然木に有りがちなゆがみ、ねじれ、割れ等を回避し、そのうえ然木と変わらない感触及び木質模様を有し、且つ強度・粘り強さが天然木の1.5〜3倍にも達し、長時間使用しても表面に凸が生じないといった優れた効果を発揮することができる。更に、ＭＤＦ板１０の単板を複数枚積層接着することで巨木以上の大きさにすることができ、様々な形状に容易に加工できて意匠性に富んだ形状の便座を小ロット・低コストで生産できることとなる。
【００１９】
前記のようにして得られた積層体１１は、切削加工や掘り抜き加工やくり抜き加工されて便座本体１とされた後、この便座本体１の表面に、ウレタン系樹脂、メラミン系樹脂、ポリエステル系樹脂、漆の１種または２種以上が含浸あるいは塗布される。
これにより、水や湿気に対しても安定していて耐水性及び耐久性を一層高めることができるため、便座の使用にも供することが可能である。また、前記の塗装する樹脂等は透明であるため、木質模様が発現していてデザイン的にも優れたものとなっている。なお、このウレタン系樹脂等の塗布等により、強度も約２００ｋｇ／ｃｍ２以上に増加させることができ、天然木よりも強度的に優れた製品を得ることが可能となる。更には、高い耐水性及び耐久性を有するため、日々の清掃を容易にして衛生的な便座を得ることができ、塗料中に抗菌剤を添加しておけば抗菌性も奏するという効果もある。
【００２０】
以上の説明からも明らかなように、本考案は素材と成るＭＤＦ板が、木材チップを細かく綿状に解繊したものなので、幼年木や間伐材をも利用でき、森林資源の有効利用ができるものである。また、本考案は、ＭＤＦ板の単板を接着剤により２枚以上積層接着した積層体として強度を増加させており、更に切削加工して得た便座本体の表面に、ウレタン系樹脂等を含浸或いは塗布することで一層の強度増を図っている。その結果、天然木よりも耐水性、耐久性、強度性に優れた製品を得ることが可能となった。また、ＭＤＦ板を使用しているので、空隙が形成されており各種溶剤等が含浸、浸透しやすく、強度等の均一化が図れ、天然木特有の割れ、狂い、歪み、虫食い等が一切生じることがなく、またササクレやトゲが生じることもなく安全である。更に、木質繊維板を積層使用しているので、年輪のような模様を必要に応じて様々な形状で創出することができて天然木の美しさを得ることができ、また触れた時の感触も天然木と同様に自然の温かみを感じることができる等の種々の効果を発揮する。
【符号の説明】
【００２１】
１  便座本体
２  取付用片部
３  温水洗浄装置
１０  ＭＤＦ板
１１  積層体
【図１】
0003168420.tif 000003
【図２】
0003168420.tif 000004
【図３】
0003168420.tif 000005
【図４】
0003168420.tif 000006
【図５】
0003168420.tif 000007
【図６】
0003168420.tif 000008